(57)【要約】【課題】  設置及び移動が容易で、可倒構造にした支柱により目印ラインを支持した球技用仕切体を提供する。【解決手段】  設置面上に載置された基板４上に永久磁石６により磁気吸着させて支柱保持体５を吸着固定し、支柱保持体５にネット体３を支持した支柱２の基部を保持させる。列設する球技用仕切体１の隣り合う支柱２，２を共通の基板４上に支持することにより隣り合う間が連結される。【選択図】  図４ 
2005080691.tif 000002
【特許請求の範囲】
【請求項１】
仕切り目印となる目印ラインを支持する支柱の基部が、設置面上に載置される基板上に磁気吸着により立設された支柱保持体により保持されてなることを特徴とする球技用仕切体。
【請求項２】
仕切り目印となる目印ラインの両端をそれぞれ支柱によって支持して目印ライン立設体を形成し、任意数の目印ライン立設体をその一方の支柱が互いに隣り合うように列設して任意長さ任意形状の仕切りを形成する球技用仕切体であって、前記支柱の基部は設置面上に載置される基板に磁気吸着により立設された支柱保持体により保持され、隣り合う複数の支柱は共通の基板上に磁気吸着により立設された各支柱に対応する複数の支柱保持体によりそれぞれ保持されてなることを特徴とする球技用仕切体。
【請求項３】
支柱は、硬質材により形成されてなる請求項１又は２に記載の球技用仕切体。
【請求項４】
支柱は、弾性材により形成されてなる請求項１又は２に記載の球技用仕切体。
【請求項５】
支柱は、コイルスプリングを弾性材で被覆して形成されてなる請求項１又は２に記載の球技用仕切体。
【請求項６】
基板に、杭状体を設置面に打ち込む杭状体挿通穴が形成されてなる請求項１又は２に記載の球技用仕切体。
【請求項７】
基板に、支柱保持体の吸着位置を位置決めする位置決め部が形成されてなる請求項１又は２に記載の球技用仕切体。
【請求項８】
目印ラインは、テープ状に形成されてなる請求項１又は２に記載の球技用仕切体。
【請求項９】
目印ラインは、ネット状に形成されてなる請求項１又は２に記載の球技用仕切体。
【発明の詳細な説明】
【技術分野】
【０００１】
本発明は、河川敷や必要以上に広いグラウンド内でソフトボールや草野球などを行う際や、児童や障害者がスポーツを行う際に、所要範囲に競技区域を設定するために設置される球技用仕切体に関するものである。
【背景技術】
【０００２】
本格的な野球用グラウンドや河川敷などの広い場所でソフトボールや草野球を行う際に所定遠隔距離に外野フェンスを設定する場合や、児童や障害者が球技を行う際にボールが所定区域から転がり出ないようにフェンスを設置したり、競技範囲を設定するような場合に、所要長さのネットの両端をポール状の支柱によって支持し、これを連続設置することにより競技区域を仕切るフェンスを形成することができる。また、所要間隔に設置した支柱にロープやテープを張り渡することによって、広い場所を複数の競技範囲に仕切ることができる。
【０００３】
グラウンド上にネットを張り巡らせてフェンスを形成するための従来技術として、球技用包囲ネット装置が知られている（特許文献１参照）。この装置は、地面に複数の支柱を等間隔に打ち込む作業を容易にするために、支柱間に張り渡される包囲ネットの支持紐の長さを規定しておくことにより、支持紐の位置に従って支柱を立設すると、支柱を等間隔に設置できるものである。
【特許文献１】実開昭６２−８７６７０号公報（第２〜４頁、図１）
【発明の開示】
【発明が解決しようとする課題】
【０００４】
しかしながら、地面に立設した支柱間にネットやテープなどを張り巡らせてフェンスや仕切りを形成するとき、支柱の基部を埋設するために地面に穴を穿つことが禁止されている場所も多く、舗装面や室内では支柱を立てることもできない問題があった。このような場所では、Ｌの字状に形成された重い基台を等間隔に配置して、それに支柱を固定することがなされる。
【０００５】
しかし、ネットやテープを支持する支柱や基台が強固に設置されていると、競技者がそれに衝突したとき怪我を生じさせる恐れがあり、特に児童や障害者が競技する場合には安全性を充分に考慮する必要がある。
【０００６】
本発明が目的とするところは、設置場所の状態を問わず、設置場所に損傷を加えることなく設置可能で、且つ競技者に怪我を生じさせない可倒式の支柱を備えた球技用仕切体を提供することにある。
【課題を解決するための手段】
【０００７】
上記目的を達成するための本願第１発明に係る球技用仕切体は、仕切り目印となる目印ラインを支持する支柱の基部が、設置面上に載置される基板上に磁気吸着により立設された支柱保持体により保持されてなることを特徴とする。
【０００８】
上記構成になる球技用仕切体によれば、目印ラインの両端を支持する支柱の基部は、それぞれ基板上に磁気吸着した支柱保持体によって保持されるので、設置や移動が簡単で、支柱又は目印ラインに人が衝突したとき、支柱保持体と基板との間の磁気吸着状態が外れて支柱が倒れ、衝突した人に与える衝撃が緩和され、強固に立設された支柱に衝突して怪我するような状態に至らない。
【０００９】
また、本願第２発明に係る球技用仕切体は、仕切り目印となる目印ラインの両端をそれぞれ支柱によって支持して目印ライン立設体を形成し、任意数の目印ライン立設体をその一方の支柱が互いに隣り合うように列設して任意長さ任意形状の仕切りを形成する球技用仕切体であって、前記支柱の基部は設置面上に載置される基板に磁気吸着により立設された支柱保持体により保持され、隣り合う複数の支柱は共通の基板上に磁気吸着により立設された各支柱に対応する複数の支柱保持体によりそれぞれ保持されてなることを特徴とする。
【００１０】
上記構成になる球技用仕切体によれば、競技区域を設定するために長い距離範囲に複数の目印ライン立設体を形成するとき、目印ラインを支持する支柱の基部は、設置面上に載置された基板に磁気吸着により立設された支柱保持体によって保持されるので、設置や移動が簡単で、支柱又は目印ラインに人が衝突したとき、支柱保持体と基板との間の磁気吸着状態が外れて支柱が倒れ、衝突した人に与える衝撃が緩和され、強固に立設された支柱に衝突して怪我するような状態に至らない。更に、隣り合う目印ライン立設体の一端側支柱の基部を共通の基板上に保持するので、列設する目印ライン立設体が互いに連結された状態が得られ、基板の設置数が削減して目印ライン立設体の連結が容易であり、仕切体を簡単に形成することができる。
【００１１】
上記各構成において、支柱は硬質材により形成することにより、木柱、金属パイプなど入手しやすいものを支柱とすることができる。支柱が硬質材であっても磁気吸着による可倒構造であるため安全は確保できる。
【００１２】
また、支柱は弾性材により形成すると、支柱に人が当たったときの安全確保をより向上させることができる。
【００１３】
また、支柱はコイルスプリングを弾性材で被覆した構造に構成することにより、弱い衝撃に対しては支柱自体が曲がって人に対する衝撃を和らげ、強い衝撃に対しては支柱保持体が基板から外れるので、人に対する安全が確保される。
【００１４】
また、基板に、杭状体を設置面に打ち込む杭状体挿通穴を形成することにより、地面に安定して支柱を立てることができ、草地や不整地でも支柱の立設が可能となる。
【００１５】
また、基板に、支柱保持体の吸着位置を位置決めする位置決め部を形成することにより、支柱保持体の基板上への吸着位置が正確に設定され、フェンス体の形成が容易となる。
【００１６】
また、目印ラインは、テープ状に形成することにより、競技範囲を仕切るための目印の設置が容易であり、ネット状に形成することにより、競技範囲からボールが転がり出ることを防止することができる。
【発明の効果】
【００１７】
本発明によれば、移動や設置が容易であるばかりでなく、目印ラインの両端を支持する支柱の基部は、それぞれ基板上に磁気吸着した支柱保持体によって保持されるので、支柱又は目印ラインに人が衝突したとき、支柱保持体と基板との間の磁気吸着状態が外れて支柱が倒れ、衝突した人に与える衝撃が緩和され、強固に立設された支柱に衝突して怪我するような状態に至らない。また、共通の基板上に隣り合う目印ライン立設体を連結した状態に支持できるので、多数の球技用仕切体を列設配置することが容易で、連結により全体の強度を向上させることができる。また、支柱を可撓体によって形成することにより、人が支柱に衝突した際の安全性をより向上させることができる。
【発明を実施するための最良の形態】
【００１８】
以下、添付図面を参照して本発明の実施形態について説明し、本発明の理解に供する。尚、以下に示す実施の形態は本発明を具体化した一例であって、本発明の技術的範囲を限定するものではない。
【００１９】
本実施形態に係る球技用仕切体１は、図１に示すように、支持体１０（１１）によってそれぞれ保持された２本の支柱２，２の間に帯状に形成されたネット体（目印ライン）３を張り渡して構成され、この球技用ネット１を任意数列設することにより球技の区域を設定するフェンス体に形成できるようにしたものである。例えば、野球用のグラウンドや河川敷のような広い場所でソフトボールを行う場合、ソフトボールの使用球は飛ばないので、図２に示すように、野球より狭い範囲にプレイングフィールドＰを設定するために、ホームベースＨから直角に引いたファールラインＦの内側に円弧状に多数の球技用ネット１を列設して外野フェンスＯを設定し、外野フェンスＯを打球が直接越えるとホームランとし、転がったボールが外野フェンスＯから転がり出て、拾いに行く無駄をなくすことに適用することができる。尚、支柱２をパイプで形成した場合には、図１に示すように、大会旗などの旗３０をパイプに差し込んで立てることができる。
【００２０】
球技用仕切体１は、それを単独で設置しても、仕切りや特定場所にボールなどが転がり出ないようにする使途に適用できるが、主たる使途はソフトボールなどの球技であるので、所要数の球技用仕切体１を連結して設置される。
【００２１】
上記のように複数の球技用仕切体１を連結し、支柱２を設置面上に立てるための第１の実施形態に係る支持体１０について、図３及び図４を参照して説明する。
【００２２】
図３において、第１の実施形態に係る支持体１０は、球技用仕切体１を設置する設置面上に載置される基板４と、この基板４上に磁気吸着により吸着固定される支柱保持体５とを備えて構成される。
【００２３】
前記基板４は、メッキ鋼板等の鉄系材料で形成され、その上に載置されて磁気吸着により立設される支柱保持体５を位置決めする位置決め穴４ａと、基板４を地面に固定するためのアンカー（杭状体）９を挿通させる固定穴（杭状体挿通穴）４ｂとが形成されている。また、前記支柱保持体５は、支柱２の直径に対応する内径の円筒体に形成された保持部５ａと、円形半殻体の中央に前記位置決め穴４ａに遊嵌状態に嵌り込む位置決め突起５ｃとが形成され、凹部内に永久磁石６を接着した吸着部５ｂとを接合して構成されている。
【００２４】
上記支持体１０は、図３に示すように、列設する複数の球技用仕切体１を隣り合う間の一端側支柱２を共通の基板４上に支持できるように、基板４には２つの支柱保持体５が位置決め吸着できるように２ヶ所に位置決め穴４ａが形成されている。図４に示すように、共通の基板４上に２つの支柱保持体５，５を吸着固定して、それぞれ支柱２、２の基部を保持させると、隣り合う球技用仕切体１が連結できるように構成されている。
【００２５】
上記支持体１０によって保持する支柱２は、ネット体３の高さ寸法に対応する長さの棒状体で、図３に示すものは木柱としているが、アルミニウムパイプ、鉄パイプなどの金属筒を適用することができ、重量増加するが、耐久性を向上させることができる。
【００２６】
上記構成になる支持体１０を用いて複数の球技用仕切体１を連結したフェンス体として設置するには、設置面に基板４を載置し、位置決め穴４ａに位置決め突起５ｃが嵌り込むように位置決めして支柱保持体５を基板４上に載置すると、支柱保持体５は永久磁石６により基板４に吸着固定されるので、支柱保持体５の保持部５ａに支柱２の基部を差し込むと、設置面に支柱２が立設される。風がないときや、設置場所が舗装面である場合、あるいは体育館などの室内に設置する場合は、基板４を設置面に載置するだけでもよいが、風がある屋外や設置場所が草地や不整地である場合には安定しないので、図４に示すように、基板４の固定穴４ｂから地面Ｇにアンカー９を打ち込んで基板４を地面Ｇに固定する。アンカー９は所要の長さがあれば基板４を地面に固定することができるので、軸部の直径は所要の強度が得られる程度でよく、地面に大きな穴を開けることがないので、野球用グラウンドなどで支柱２を立てるための穴を開けることが禁止されている場所でも使用可能である。
【００２７】
本構成は列設する球技用仕切体１の隣り合う間の２本の支柱２を共通の基板４上に立設できるように構成している。この構成により風圧などによる球技用仕切体１の耐圧強度を向上させることができ、基板４やアンカー９の数を削減することができる。但し、必ずしも２本の支柱２を立設する必要はなく、基板４の片側に支柱保持体５を磁気吸着させて１本の支柱２のみを立設することもできる。また、図２に示した例のように、球技用仕切体１を１本の線上に列設したときには、列の両端では基板４に１本の支柱２を立設することになる。
【００２８】
支柱２で支持するネット体３は、所定長さの帯状に形成されたネット３ａの両端に支柱２を挿通させるために筒状部を形成した支持布３ｂが縫い付けられている。支持布３ｂの筒状部に挿通させた支柱２の基部を設置面に載置した支柱保持体５の保持部５ａ内に嵌入させると、支柱２でネット体３を支持することができる。
【００２９】
多数の球技用仕切体１を設置場所に列設配置するときには、大まかな位置に支柱保持体５を吸着固定させた基板４を載置し、ネット体３の支持布３ｂ内に挿通させた支柱２を順次支柱保持体５に嵌入させていくと、大まかにネット体３が張り巡らされるので、多数の球技用仕切体１を列設した状態が所望の形状になるように基板４を移動させると、フェンス体を簡単に設置できるので、必要に応じて各基板４をアンカー９により地面に固定する。
【００３０】
上記構成になる支柱支持体１０を用いて立設された球技用仕切体１を、図１に示すようにフェンス体にして設置して、ネット体３もしくは支柱２に人が衝突したとき、支柱２にネット体３に引かれる引っ張り力又は衝突の圧力が加わるので、その力が支柱保持体５が基板４に磁気吸着する力を越えたとき、支柱保持体５が基板４から外れて支柱２が倒れるので、衝突した人に与える衝撃は少なく、衝突によって人に怪我を負わせることがない。風圧や人が軽く押した状態では、支柱保持体５の基板４に対する吸着は外れないので、フェンス体として安定した状態が維持される。このように支柱２を可倒式に支持するとき、支柱２が倒れる状態になる加圧に耐える強度は、永久磁石６の吸着力によって設定することができるので、永久磁石６の磁界強さと、強磁性体である基板４の磁性レベルとを選択することにより自在な設定が可能である。
【００３１】
次いで、前記支柱２とを設置面上に立てるための第２の実施形態に係る支持体１１について、図５及び図６を参照して説明する。尚、第１の実施形態における構成に共通する構成要素には同一の符号を付し、その説明は省略する。
【００３２】
図５において、第２の実施形態に係る支持体１１は、球技用仕切体１を設置する設置面上に載置される基板１４と、この基板１４上に吸着固定される支柱保持体１５とを備えて構成される。
【００３３】
前記基板１４は、メッキ鋼板等の鉄系材料で形成され、その上に載置されて磁気吸着により吸着固定される２つの支柱保持体１５を位置決めする位置決め穴１４ａ、１４ａと、基板４を地面に固定するためのアンカー９を挿通させる２ヶ所の固定穴１４ｂ，１４ｂとが形成されている。また、前記支柱保持体１５は、円筒状に形成される支柱１２の内径に対応する直径の円柱体に形成された保持部１５ａと、円形半殻体の中央に前記位置決め穴１４ａに遊嵌状態に嵌り込む位置決め突起１５ｃとが形成され、凹部内に永久磁石（磁気吸着体）１６を接着した吸着部１５ｂとを接合して構成されている。
【００３４】
上記構成になる支持体１１に対応する支柱１２は、支柱保持体１５の保持部１５ａに外嵌する内径の円筒形に形成される。ここでは、ネット体３の高さ寸法に対応する長さに形成されたコイルスプリング１２ｂをゴムホース状の弾性体１２ａで被覆した円筒形に形成されている。
【００３５】
上記構成を設置面上に支柱支持体１１として設置するには、設置面に基板１４を載置し、位置決め穴１４ａに位置決め突起１５ｃが嵌り込むように位置決めして支柱保持体１５を基板１４上に載置すると、支柱保持体１５は永久磁石１６により基板１４に吸着固定されるので、支柱保持体１５の保持部１５ａに支柱１２の基部を差し込むと、設置面に支柱１２が立設される。風がないときや、設置場所が舗装面である場合、あるいは体育館などの室内に設置する場合は、基板１４を設置面に載置するだけでもよいが、風がある屋外や設置場所が草地や不整地である場合には安定しないので、図６に示すように、基板１４に設けられた２ヶ所の固定穴１４ｂから地面Ｇにアンカー９を打ち込んで基板１４を地面Ｇに固定する。
【００３６】
上記構成になる支柱支持体１０を用いて立設された球技用仕切体１を、図１に示すようにフェンス体にして設置して支柱２又はネット体３に人が衝突したとき、支柱１２はコイルスプリング１２ｂを弾性体１２ａで被覆した可撓体に形成されているので、支柱２が撓んで衝突の衝撃を吸収し、衝撃が和らげられて人に与える衝突の影響を緩和することができる。衝突による圧力が大きく、支柱１２の撓みが大きくなったときには、その力が支柱保持体５が基板４に磁気吸着する力を越えると、支柱保持体５が基板４から外れて支柱２が倒れるので、衝突した人に与える衝撃は少なく、衝突によって人に怪我を負わせることがない。風圧や人が軽く押した状態では、支柱１２が撓んで支柱保持体５の基板４に対する吸着は外れないので、フェンス体として安定した状態が維持される。
【００３７】
このように支柱２が可撓体で且つ可倒式に構成したとき、支柱１２の撓み程度は弾性体１２ａ及びコイルスプリング１２ｂの材質や直径等の選択によって任意に設定することができる。また、支柱２が倒れる状態になる加圧に耐える強度は、第１の実施形態の構成と同様に、永久磁石６の吸着力によって設定することができるので、永久磁石６の磁界強さと、強磁性体である基板４の磁性レベルとを選択することにより自在な設定が可能である。
【００３８】
上記各実施形態における基板４，１４と支柱保持体５，１４との間の磁気吸着の構造は、支柱保持体５，１５側に永久磁石６，１６を設けているが、基板４，１４側に永久磁石６，１６を配し、支柱保持体５，１５側を強磁性体材料によって形成しても同様の効果が得られる。また、基板４，１５と支柱保持体５，１５との間の対向面それぞれに、異極対向させて永久磁石６，１６を配することによっても同様の効果が得られる。
【００３９】
以上説明した構成は、支柱２、１２の間にネット体３を張り渡してフェンス体に構成した例を示すものであるが、競技範囲を設定するためや野球やソフトボールにおけるホームランラインを設定するためであれば、図７に示すように、支柱３７の間にラインテープ（目印ライン）３３を張り渡すように構成することができる。
【００４０】
図８は、上記テープ３３を張り渡すための支持体３１の構成を示すもので、樹脂パイプ又は金属パイプによって形成された支柱３７を保持する支柱保持体３５は、支柱３７の内径に対応する直径に形成された保持部３５ａと、凹部内に永久磁石３６を接着した吸着部３５ｂと、永久磁石３６及び吸着部３５ｂに形成された固定穴を通して保持部３５ａを吸着部３５ｂにネジ固定するネジ３５ｃとを備えて構成され、ネジ３５ｃの頭を位置決め突起として、これを基板３４に形成された位置決め穴３４ａに嵌るようにして永久磁石３６により基板３４に吸着させることにより、基板３４上に磁気吸着させた支柱保持体３５に支柱３７を立設することができる。
【００４１】
前記支柱３７の上部には軟質樹脂によって形成された安全キャップ３９が嵌着され、支柱３７の上部開口内に固定部４０ａを挿入してテープ支持具４０が取り付けられる。テープ支持具４０は、金属線材を前記固定部４０ａと支持部４０ｂとを設けて折り曲げ形成したもので、大会旗等の旗３０の軸部を支柱３７に挿入することにより、テープ支持具４０は旗３０の軸部に押圧されて固定部４０ａの位置固定はより強固になされ、テープ支持具４０は支柱３７に固定される。前記支持部４０ｂの折り返し形成された隙間内にラインテープ３３の一端を挿し入れることにより、ラインテープ３３の一端が支持体３１に固定されるので、他端を組とする他の支持体３１に固定することにより、一対の支持体３１の間にラインテープ３３を張り渡すことができる。
【００４２】
以上説明した構成は、ソフトボールの外野フェンスを構成した例について説明したが、草野球やサッカーなどの球技を河川敷や運動場などの広い場所で複数のチームが競技するような場合に、競技区域間を仕切るフェンス体として自在に設置することが可能である。また、球技に限らず子供の遊び場やゲーム空間の仕切りなどとしても活用することができる。また、支柱２，１２、３１の長さ及びネット体３、ラインテープ３３の幅や長さは設置安定性が確保できる範囲で任意に設定でき、ネット体３は必ずしもネット状のものでなく、布製であっても設置可能なので、目隠しや仕切りなどとしても使用することができる。
【００４３】
また、この球技用仕切体１は、必ずしも球技専用でもないので、複数を連結して線状に列設することに限定されず、単独で設置することもでき、間隔を隔てて設置したり、複数の球技用仕切体１を円形や角形などの任意形状に連結することもできる。
【産業上の利用可能性】
【００４４】
以上説明した通り本発明によれば、囲いにある競技範囲で競技することを旨とする野球やソフトボール等の囲いを容易に設置することができ、ホームランが出る楽しみを与えて、野球等球技の面白さを倍化させることができ、広い場所でボールが遠くに転がり出て、それを拾いに行く無駄時間をなくしてスピードアップを図ることができ、大人から児童、障害者も楽しめる球技の普及に貢献することができる。また、移動や設置が容易であるばかりでなく、支柱が磁気吸着されているので、安全性が確保された状態で競技することができる。
【図面の簡単な説明】
【００４５】
【図１】ネット体を用いた球技用仕切体の設置状態を示す正面図。
【図２】球技用仕切体をソフトボールの外野フェンスに適用した例を示す平面図。
【図３】第１の実施形態に係る支持体及び支柱の構成を示す分解斜視図。
【図４】同上支持体によって支柱を支持した状態を示す部分断面図。
【図５】第２の実施形態に係る支持体及び支柱の構成を示す分解斜視図。
【図６】同上支持体によって支柱を支持した状態を示す部分断面図。
【図７】ラインテープを用いた球技用仕切体の設置状態を示す斜視図。
【図８】ラインテープを支持する支持体の構成を示す断面図。
【符号の説明】
【００４６】
１  球技用仕切体
２，１２，３７  支柱
３  ネット体（目印ライン）
４，１４，３４  基板
５，１５，３５  支柱保持体
６，１６，３６  永久磁石
９  アンカー（杭状体）
１０，１１，３１  支持体
１２ａ  弾性体
１２ｂ  コイルスプリング
３３  ラインテープ（目印ライン）
【図１】
2005080691.tif 000003
【図２】
2005080691.tif 000004
【図３】
2005080691.tif 000005
【図４】
2005080691.tif 000006
【図５】
2005080691.tif 000007
【図６】
2005080691.tif 000008
【図７】
2005080691.tif 000009
【図８】
2005080691.tif 000010